(57)【特許請求の範囲】
【請求項１】
コンピュータと、携帯可能な受信手段とから成る情報通信システムにおいて、
前記コンピュータは、他のコンピュータから通信回線を介して電子メールを受信した場合に、その電子メールのテキストデータの先頭部分を前記受信手段に対して無線で送信する送信手段を備え、
前記受信手段は、表示手段を備え、
前記コンピュータから受信した前記テキストデータの先頭部分を前記表示手段に表示させることを特徴とする情報通信システム。
【請求項２】
コンピュータと、携帯可能な受信手段とから成る情報通信システムにおいて、
前記コンピュータは、他のコンピュータから通信回線を介して電子メールを受信した場合に、そのアドレスデータを前記受信手段に対して無線で送信する送信手段を備え、
前記受信手段は、
表示手段と、
アドレスデータとその送信元名を対応付けて記憶するＲＯＭと、を備え、
前記コンピュータから受信した前記アドレスデータに対応する送信元名を前記ＲＯＭから読み出して、前記表示手段に表示させることを特徴とする情報通信システム。
【発明の詳細な説明】
【０００１】
【発明の属する技術分野】
本発明は、コンピュータと通信機器との間で情報の通信を行う情報通信システムに関する。
【０００２】
【従来の技術】
従来、通信回線を介してコンピュータ間で情報を通信するネットワークが知られている。特に、最近では、テキストデータを電子メールとしてコンピュータ間で通信することが普及しつつある。
【０００３】
【発明が解決しようとする課題】
しかしながら、上記従来のものでは、他のコンピュータから送信される情報は、コンピュータに接続されたモニタで見たり、プリントアウトしなければ知ることができないため、コンピュータが設置された場所にいなければ、情報を知ることができないという問題がある。
また、その情報を受け取るべき者と連絡を取って、受信した情報の内容を知らせる手段では、非常に手間がかかり現実的でない。
【０００４】
そこで、本発明は、上記問題を解決するためになされたものであり、コンピュータに受信された情報を、その情報の内容を知らせるべき者に容易に送信することができる情報通信システムを実現することを目的とする。
【０００５】
【課題を解決するための手段】
本発明は、上記目的を達成するため、請求項１に記載の発明では、コンピュータと、携帯可能な受信手段とから成る情報通信システムにおいて、 前記コンピュータは、他のコンピュータから通信回線を介して電子メールを受信した場合に、その電子メールのテキストデータの先頭部分を前記受信手段に対して無線で送信する送信手段を備え、前記受信手段は、表示手段を備え、前記コンピュータから受信した前記テキストデータの先頭部分を前記表示手段に表示させるという技術的手段を採用する。
【０００６】
請求項２に記載の発明では、コンピュータと、携帯可能な受信手段とから成る情報通信システムにおいて、前記コンピュータは、他のコンピュータから通信回線を介して電子メールを受信した場合に、そのアドレスデータを前記受信手段に対して無線で送信する送信手段を備え、前記受信手段は、表示手段と、アドレスデータとその送信元名を対応付けて記憶するＲＯＭと、を備え、前記コンピュータから受信した前記アドレスデータに対応する送信元名を前記ＲＯＭから読み出して、前記表示手段に表示させるという技術的手段を採用する。
【０００７】
【０００８】
【０００９】
【００１０】
【００１１】
【作用】
請求項１に記載の発明では、コンピュータは、他のコンピュータから通信回線を介して電子メールを受信した場合に、その電子メールのテキストデータの先頭部分を受信手段に対して無線で送信し、携帯可能な受信手段は、コンピュータから受信したテキストデータの先頭部分を表示手段に表示させる。
したがって、上記テキストデータの先頭部分を受信すべき者が、上記コンピュータの設置されている場所から離れた所にいる場合であっても、その者が上記携帯可能な受信手段を携帯することにより、上記コンピュータが他のコンピュータから受信した上記電子メールのテキストデータの先頭部分の内容を知ることができる。
【００１２】
また、請求項２に記載の発明では、コンピュータは、他のコンピュータから通信回線を介して電子メールを受信した場合に、そのアドレスデータを携帯可能な受信手段に対して無線で送信し、受信手段は、コンピュータから受信したアドレスデータに対応する送信元名をＲＯＭから読み出して表示手段に表示させる。
したがって、他のコンピュータからコンピュータに電子メールが送信されたことを受信手段を携帯する者に知らせることができる。しかも、受信手段の表示手段に電子メールの送信元名が表示されるため、その送信元に連絡を取ることができる。
【００１３】
【００１４】
【００１５】
【００１６】
【００１７】
【発明の実施の形態】
以下、本発明の情報通信システムの実施形態について図を参照して説明する。
図１は、本発明第１実施形態の情報通信システムの主要構成を示すブロック図、図２は、図１に示す情報通信システムを構成するコンピュータ、受信手段たる携帯電話およびポケットベル（登録商標）の外観説明図、図３は、図２に示すコンピュータの主要構成を示すブロック図、図４は、図２に示す携帯電話の主要構成を示すブロック図である。
【００１８】
まず最初に、本情報通信システムの構成について図１を参照して説明する。
図１に示すように、本情報通信システムには、コンピュータ１０と、複数の他のコンピュータ１１とが通信回線４によって接続されており、この通信回線４の管理を行う管理装置２が設けられている。また、複数の携帯電話の通信を統括する基地局８が設けられており、この基地局８とコンピュータ１０は、電話回線６によって接続されている。
【００１９】
次に、コンピュータ１０の構成について図２を参照して説明する。
図２に示すように、コンピュータ１０には、コンピュータ本体１２と、このコンピュータ本体１２に他のコンピュータ１１から送信された情報１８や、コンピュータ本体１２の処理結果などを表示するＣＲＴ１４と、コンピュータ本体１２を操作するキーボード１６とが備えられている。
【００２０】
次に、コンピュータ１０の制御系の主要構成について図３を参照して説明する。
図３に示すように、コンピュータ本体１２の内部には、情報の送受信などの処理および制御などを実行するＣＰＵ２０が設けられている。このＣＰＵ２０には、他のコンピュータ１１から送信された電子メールなどの情報を一時保存するＲＡＭ２１と、電子メールなどの情報の送信元のアドレス（送信元識別情報）を記憶しているアドレス用ＲＯＭ２２と、情報を受信すべき者が携帯する携帯電話の電話番号およびポケットベルの番号（送信先識別情報）を記憶している電話番号用ＲＯＭ２３と、送信する情報に付されるコンピュータ１０のアドレスなどの発信側データが記憶されたＲＯＭ２４と、ＣＰＵ２０の制御プログラムなどが記憶されたハードディスクメモリ２５とが接続されている。
【００２１】
また、ＣＰＵ２０には、通信回線４を介して他のコンピュータ１１との間で情報の送受信を行い、また、受信した情報を電話回線６を介して基地局８へ送信するためのモデム２６と、このモデムにより変換されたデータを音声データに変換する変換回路２７と、マウス２９から出力される信号を制御するマウスコントローラ２８と、キーボード１６と、ＣＲＴ１４とが接続されている。
【００２２】
次に、携帯電話３０の構成について図２を参照して説明する。
図２に示すように、携帯電話３０には、情報の送受信を行うロッド式のアンテナ３７と、受信した情報を音声により再生するスピーカ３８と、受信された情報１８などを液晶表示する表示手段たる液晶ディスプレイ（ＬＣＤ）４１と、ダイヤリングを行うプッシュボタン４２と、音声を入力する受話部４５と、受信された情報の選択を行うための選択ボタン４３と、選択した情報を記憶するためのメモリボタン４９とが設けられている。また、図示しないが、電源スイッチ、オンフック，オフフックを行うフックボタン、通話を保留するための保留ボタン、音量調整ボタンなどのスイッチ類が設けられている。
【００２３】
次に、携帯電話３０の主な内部構成について図４を参照して説明する。
図４に示すように、携帯電話３０の内部には、情報の送受信、受信された情報の音声信号への変換などの制御を行うＣＰＵ３１が備えられている。このＣＰＵ３１には、アンテナ３７により受信された情報をＣＰＵ３１により処理できるデータに変換する受信回路３５と、受話部４５から入力された音声をデジタル信号に変換する音声入力回路４４と、この音声入力回路４４から出力されるデジタル信号をアンテナ３７へ出力する送信回路４８とが接続されている。
【００２４】
また、ＣＰＵ３１には、受信回路３５から出力されるデジタル信号をアナログ信号に変換してスピーカ３８へ出力する音声出力回路３６と、受信されたテキストデータを音声信号に変換するデータ変換回路３９と、受信された情報や送信する情報などを液晶ディスプレイ４１に表示できる信号に変換する表示回路４０と、プッシュボタン４２と、選択ボタン４３と、スイッチ類４７とが接続されている。
さらに、ＣＰＵ３１には、受信した情報を一時保存するＲＡＭ３２と、携帯電話３０の番号や他の電話の電話番号などが記憶されたＲＯＭ３３と、選択ボタン４３により選択した情報を保存する情報保存用ＲＯＭ３４とが接続されている。
【００２５】
次に、他のコンピュータ１１からコンピュータ１０へ送信された情報を携帯電話３０へ送信する場合のコンピュータ１０および携帯電話３０の制御内容について図６および図７を参照して説明する。
図６は、コンピュータ本体１２に設けられたＣＰＵ２０の制御内容を示すフローチャートであり、図７は、携帯電話３０に設けられたＣＰＵ３１の制御内容を示すフローチャートである。
なお、ここでは、コンピュータ１０が他のコンピュータ１１から受信する情報として、いわゆる電子メール（Ｅメール）を例に挙げて説明する。
【００２６】
まず、ＣＰＵ２０は、電子メールを受信すると（ステップ１００）、その電子メールに付されたアドレスデータをＲＡＭ２１に一時保存する（ステップ１１０）。続いて、その保存されたアドレスデータは、アドレス用ＲＯＭ２２に登録されているアドレスデータであるか否かが判定される（ステップ１２０）。
つまり、登録されている送信元から送信された情報のみを携帯電話３０へ送信するようにする。
続いて、上記保存されたアドレスデータが、登録されているものである場合には、電子メール中のテキストデータをＲＡＭ２１に格納する（ステップ１３０）。そして、電話番号用ＲＯＭ２３から携帯電話３０の電話番号を呼び出して、モデム２６から電話回線６を介して発信を行う（ステップ１４０）。続いて、ＲＡＭ２１に保存されたテキストデータを音声データに変換し（ステップ１５０）、携帯電話３０への着信が確認されると（ステップ１６０）、上記音声データを携帯電話３０へ送信する（ステップ１７０）。
【００２７】
一方、携帯電話３０のＣＰＵ３１は、着信の判定をすると（ステップ２００）、スピーカ３８により呼出し音を再生させ（ステップ２１０）、オンフックされるとデータの受信を開始し（ステップ２２０）、その受信したデータを音声に変換し、スピーカ３８により再生する（ステップ２３０）。そして、再生の終了を判定し（ステップ２４０）、受信の終了を判定した後に（ステップ２５０）、次の着信を待つ状態に戻る（ステップ２００）。
【００２８】
以上のように、本第１実施形態の情報通信システムによれば、他のコンピュータ１１から送信された情報をコンピュータ１０が受信した場合に、その受信した情報を携帯電話３０へ送信することができるため、その情報を受け取るべき者が、コンピュータ１０が設置された場所にいない場合であっても、その者に情報を知らせることができる。
【００２９】
しかも、コンピュータ１０により受信された情報のうち、予め登録された送信元から送信された情報のみを携帯電話３０へ送信できるため、携帯電話３０において無駄な受信を防止して効率の良い受信を行うことができる。さらに、他のコンピュータ１１から送信されたテキストデータを携帯電話３０により音声で再生することができるため、情報の内容を耳で聞くことができる。
なお、受信した情報を液晶ディスプレイ４１に表示するように構成することもできる。また、モデム２６および電話回線６が、本発明の送信手段を構成し、ＣＰＵ２０は、ステップ１００ないし１７０を実行することにより、本発明の送信手段として機能する。
【００３０】
次に、本発明の第２実施形態について図８を参照して説明する。
本第２実施形態の情報通信システムは、携帯電話３０の方において、受信した情報の取捨選択をできることを特徴とする。
図８は、携帯電話３０に設けられたＣＰＵ３１の制御内容を示すフローチャートである。なお、ここでは、複数の他のコンピュータ１１から情報がコンピュータ１０に送信され、それら複数の情報をコンピュータ１０から携帯電話３０へ送信するものとする。
【００３１】
まず、着信すると（ステップ３００）、データの受信を開始し（ステップ３１０）、受信したデータの複数の送信元識別コードに対応する送信元名を液晶ディスプレイ４１に文字で表示する（ステップ３２０）。そして、携帯電話３０に設けられた選択ボタン４３を操作して、所望の送信元名を選択すると（ステップ３３０）、その選択された送信元名が送信した情報のテキストデータが音声に変換されてスピーカ３８により再生される（ステップ３４０）。続いて、再生の終了および受信の終了が判定されると（ステップ３５０、３６０）、着信を待つ状態に戻る（ステップ３００）。
【００３２】
このように、本第２実施形態の情報通信システムによれば、携帯電話３０の方で内容を知りたい情報を取捨選択できるため、情報の受信を効率良く行うことができる。
なお、上記情報の選択を行ったときにメモリボタン４９を押すことにより、選択した情報をＲＡＭ３２に保存することもできる。また、選択ボタン４３が、本発明の情報選択手段を構成し、ＣＰＵ３１は、上記ステップ３３０を実行することにより、本発明の情報選択手段として機能する。
【００３３】
次に、本発明の第３実施形態について図２および５を参照して説明する。
本第３実施形態の情報通信システムは、コンピュータ１０が受信した情報をポケットベルを携帯する者へ送信できることを特徴とする。
図５は、上記ポケットベルの主な内部構成を示すブロック図である。図５に示すように、ポケットベル５０には、情報の受信および表示などの制御を行うＣＰＵ５１が設けられており、このＣＰＵ５１には、アンテナ５６により受信された情報をＣＰＵ５１により処理できる信号に変換する受信回路５５と、受信された情報に付されたアドレスデータを保存するＲＡＭ５２、ＲＯＭ５３と、送信元名などが登録されたＲＯＭ５４とが接続されている。
【００３４】
また、ＣＰＵ５１には、保存された情報を表示手段たる液晶ディスプレイ５８に表示するための信号に変換する表示回路５７と、受信された情報の選択を行うための選択ボタン６０と、電源スイッチ、表示切替スイッチ、表示濃度調整スイッチなどのスイッチ類６１と、スピーカ５９を発音させて着信を知らせるための音声回路６２とが接続されている。
【００３５】
次に、他のコンピュータ１１からコンピュータ１０へ送信された情報をコンピュータ１０からポケットベル５０へ送信する場合の、コンピュータ１０に設けられたＣＰＵ２０およびポケットベル５０に設けられたＣＰＵ５１の制御について図９および図１０を参照して説明する。
図９は、ＣＰＵ２０の制御内容を示すフローチャートであり、図１０は、ＣＰＵ５１の制御内容を示すフローチャートである。なお、図９のステップ４００ないし４２０は、図６のステップ１００ないし１２０と同じであるため、説明を省略する。
【００３６】
まず、ステップ４２０において、受信された電子メールのアドレスが登録されているアドレスと一致していると判定されると、電話番号用ＲＯＭ２３からポケットベル５０の番号が読み出されてポケットベル５０の呼出しが行われる（ステップ４３０）。続いて、ポケットベル５０での着信が確認されると（ステップ４４０）、ＲＡＭ５２に保存されているアドレスデータをポケットベル５０へ送信する（ステップ４５０）。
【００３７】
一方、ポケットベル５０のＣＰＵ５１は、着信を判定すると（ステップ５００）、音声回路６２によりスピーカ５９を駆動させて呼出音を発生させる（ステップ５１０）。続いて、受信されたアドレスデータに対応する送信元名をＲＯＭ５４から読み出して表示回路５７により液晶ディスプレイ５８に文字で表示する（ステップ５２０）。ここで、ポケットベル５０を携帯する者は、その表示された送信元名を見て、必要に応じてその送信元へ電話連絡をする。そして、電源が０ＦＦされると（ステップ５３０）、着信待機状態に戻る（ステップ５００）。
【００３８】
このように、本第３実施形態の情報通信システムによれば、他のコンピュータ１１からコンピュータ１０に情報が送信されたことをポケットベル５０を携帯する者に知らせることができる。しかも、ポケットベル５０に情報の送信元名が表示されるため、その送信元に連絡を取ることができる。
また、ポケットベル５０には、上記携帯電話３０に設けられた情報の選択機能が備えられており、選択ボタン６０（図２参照）を操作することにより、所望のアドレスを選択してＲＡＭ５２に保存することもできる。
なお、コンピュータ１０から電子メールのテキストデータの先頭部分をポケットベル５０へ送信して、その先頭部分をポケットベル５０の液晶ディスプレイ５８に文字で表示するように構成することもできる。
【００３９】
【発明の効果】
以上のように、本発明によれば、コンピュータに受信された情報を、その情報の内容を知らせるべき者に容易に送信することができる。
【図面の簡単な説明】
【図１】  本発明第１実施形態の情報通信システムの主要構成を示すブロック図である。
【図２】  図１に示す情報通信システムを構成するコンピュータ、携帯電話およびポケットベルの外観説明図である。
【図３】  図２に示すコンピュータの主要構成を示すブロック図である。
【図４】  図２に示す携帯電話の主要構成を示すブロック図である。
【図５】  ポケットベルの主な内部構成を示すブロック図である。
【図６】  ＣＰＵ２０の制御内容を示すフローチャートである。
【図７】  ＣＰＵ３１の制御内容を示すフローチャートである。
【図８】  ＣＰＵ３１の制御内容を示すフローチャートである。
【図９】  ＣＰＵ２０の制御内容を示すフローチャートである。
【図１０】  ＣＰＵ５１の制御内容を示すフローチャートである。
【符号の説明】
２    管理装置
４    通信回線
６    電話回線
８    基地局
１０    コンピュータ
１１    他のコンピュータ
１２    コンピュータ本体
１４    ＣＲＴ
１８    情報
２０    ＣＰＵ
３０    携帯電話
３１    ＣＰＵ
５０    ポケットベル
５１    ＣＰＵ
【図１】
0003774940.tif 000002
【図２】
0003774940.tif 000003
【図３】
0003774940.tif 000004
【図４】
0003774940.tif 000005
【図５】
0003774940.tif 000006
【図６】
0003774940.tif 000007
【図７】
0003774940.tif 000008
【図８】
0003774940.tif 000009
【図９】
0003774940.tif 000010
【図１０】
0003774940.tif 000011